(57)【要約】【課題】三相のＴＳＣを有する静止形無効電力補償装置において、サイリスタスイッチの相間に必要な絶縁距離を短くする。【解決手段】ＴＳＣ１１ａ，１１ｂ，１１ｃは、三相交流母線５ａ，５ｂ，５ｃに対してデルタ接続される。ＴＳＣ１１ａ，１１ｂ，１１ｃの各々は、電気的に直列接続された、リアクトル２０ａ，２０ｂ，２０ｃ、コンデンサ３０ａ，３０ｂ，３０ｃおよびサイリスタスイッチ４０ａ，４０ｂ，４０ｃを含む。三相のサイリスタスイッチ４０ａ，４０ｂ，４０ｃは、各相間でのサイリスタスイッチの端子間距離が不均等となるように実装配置される。ＴＳＣ１１ａ，１１ｂ，１１ｃは、相間での端子間距離が最も短い二相の間で、デルタ接続の一巡経路に沿ったサイリスタスイッチ４０ａ，４０ｂ，４０ｃおよびコンデンサ３０ａ，３０ｂ，３０ｃの電気的な接続順序が互いに逆となるように構成される。【選択図】図９
2014017963.tif 000002
【特許請求の範囲】
【請求項１】
三相交流母線に対してデルタ接続された三相の直列回路を備え、
各前記直列回路は、電気的に直列接続されたコンデンサおよびサイリスタスイッチを含み、
前記三相のサイリスタスイッチは、各相間でのサイリスタスイッチの端子間距離が不均等となるように実装配置され、
前記三相の直列回路は、前記三相のうちのいずれか一相において、前記デルタ接続の一巡経路に沿った前記サイリスタスイッチおよび前記コンデンサの電気的な接続順序が他の二相と逆になるように構成され、
前記三相の直列回路は、前記三相のうちの前記端子間距離が最も短い第１の相および第２の相の間で、前記デルタ接続の一巡経路に沿った前記サイリスタスイッチおよび前記コンデンサの電気的な接続順序が互いに逆になるように配置される、静止形無効電力補償装置。
【請求項２】
前記三相の直列回路は、さらに、前記三相のうちの前記端子間距離が最も長い、第３の相と前記第１または前記第２の相との間で、前記電気的な接続順序が共通となるように配置される、請求項１記載の静止形無効電力補償装置。
【請求項３】
前記三相のサイリスタスイッチを鉛直方向に積層して構成されたサイリスタバルブをさらに備え、
前記三相の直列回路は、物理的に隣接して配置される二相のサイリスタスイッチをそれぞれ含む二相の直列回路の間で、前記電気的な接続順序が互いに逆となるように配置される、請求項１または２記載の静止形無効電力補償装置。
【請求項４】
前記三相のうちの二相のサイリスタスイッチを鉛直方向に積層して構成されたサイリスタバルブをさらに備え、
前記三相の直列回路は、積層された前記二相のサイリスタスイッチをそれぞれ含む二相の直列回路の間で、前記電気的な接続順序が互いに逆になるように配置される、請求項１または２記載の静止形無効電力補償装置。
【請求項５】
前記三相のサイリスタスイッチを水平方向に連続配置して構成されたサイリスタバルブをさらに備え、
前記三相の直列回路は、物理的に隣接して配置される二相のサイリスタスイッチをそれぞれ含む二相の直列回路の間で、前記電気的な接続順序が互いに逆になるように配置される、請求項１または２記載の静止形無効電力補償装置。
【請求項６】
各前記直列回路は、前記コンデンサおよび前記サイリスタスイッチに対して電気的に直列接続されたリアクトルをさらに含む、請求項１〜５のいずれか１項に記載の静止形無効電力補償装置。
【請求項７】
各前記直列回路は、前記コンデンサおよび前記サイリスタスイッチに対して電気的に直列接続されたリアクトルをさらに含み、
各相の前記サイリスタスイッチは、
前記コンデンサおよび前記リアクトルの一方を介して前記三相交流母線のうちの１本に電気的に接続される第１の端子と、
前記コンデンサおよび前記リアクトルの他方を介して前記三相交流母線のうちの他の１本に電気的に接続される第２の端子とを有する、請求項１〜５のいずれか１項に記載の静止形無効電力補償装置。
【発明の詳細な説明】
【技術分野】
【０００１】
この発明は、静止形無効電力補償装置に関し、より特定的には、ＴＳＣ（Thyristor Switched Capacitor）を用いた静止形無効電力補償装置に関する。
【背景技術】
【０００２】
電力系統における無効電力の補償のために、コンデンサおよびサイリスタの直列回路を送電路に並列接続することによって、進相の無効電力を系統に供給するＴＳＣが用いられている。
【０００３】
たとえば、特開昭６２−２４４２６８号公報（特許文献１）には、リアクトル、コンデンサおよび、サイリスタスイッチの直列回路が三相分デルタ接続されたＴＳＣが記載されている。特許文献１には、ＴＳＣを構成するサイリスタスイッチの点孤タイミングのばらつきを抑制するための、サイリスタスイッチの点孤方法が記載されている。特許文献１に従う点孤方法によれば、直列接続された点孤すべき全てのサイリスタスイッチの殆ど同時の点孤が実現される。
【先行技術文献】
【特許文献】
【０００４】
【特許文献１】特開昭６２−２４４２６８号公報
【発明の概要】
【発明が解決しようとする課題】
【０００５】
静止形無効電力補償装置では、サイリスタバルブによってサイリスタスイッチを構成することによって、必要な耐圧や容量を確保することが一般的である。
【０００６】
一方で、ＴＳＣでは、サイリスタスイッチのオフ時には、コンデンサの充電によって異なる相のサイリスタスイッチの端子間に大きな電圧差が生じる。これにより、相間の絶縁距離を確保するために、サイリスタバルブが大型化かつ高コスト化することが問題となる。しかしながら、特許文献１では、サイリスタスイッチのオフ時における相間の電圧差は何ら考慮されていない。
【０００７】
この発明は上述のような問題点を解決するためになされたものであって、この発明の目的は、三相のＴＳＣを有する静止形無効電力補償装置において、サイリスタスイッチの相間に必要な絶縁距離を短くすることである。
【課題を解決するための手段】
【０００８】
この発明に係る静止形無効電力補償装置は、三相交流母線に対してデルタ接続された三相の直列回路を含む。各直列回路は、電気的に直列接続されたコンデンサおよびサイリスタスイッチを有する。三相のサイリスタスイッチは、各相間でのサイリスタスイッチの端子間距離が不均等となるように実装配置される。三相の直列回路は、三相のうちのいずれか一相において、デルタ接続の一巡経路に沿ったサイリスタスイッチおよびコンデンサの電気的な接続順序が他の二相と逆になるように構成される。三相の直列回路は、三相のうちの端子間距離が最も短い第１の相および第２の相の間で、デルタ接続の一巡経路に沿ったサイリスタスイッチおよびコンデンサの電気的な接続順序が互いに逆になるように配置される。
【発明の効果】
【０００９】
この発明によれば、三相のＴＳＣを有する静止形無効電力補償装置において、サイリスタスイッチの相間に必要な絶縁距離を短くすることができる。この結果、サイリスタスイッチを構成するためのサイリスタバルブを小型化および低コスト化することができる。
【図面の簡単な説明】
【００１０】
【図１】比較例として示される静止形無効電力補償装置の回路構成図である。
【図２】各相のＴＳＣの回路動作を説明するための回路図である。
【図３】図２に示したＴＳＣ（一相分）の動作を説明するシミュレーション波形図である。
【図４】比較例の静止形無効電力補償装置におけるＴＳＣ（三相分）の動作を説明するシミュレーション波形図である。
【図５】サイリスタスイッチを構成するためのサイリスタバルブの構成を説明する概念図である。
【図６】比較例の静止形無効電力補償装置に適用されるサイリスタバルブの構造を説明する概念図である。
【図７】比較例の静止形無効電力補償装置におけるＴＳＣオフ時の動作を説明するシミュレーション波形図である。
【図８】実施の形態１に従う静止形無効電力補償装置の回路構成図である。
【図９】実施の形態１に従う静止形無効電力補償装置に適用されるサイリスタバルブの構造を説明する概念図である。
【図１０】実施の形態１に従う静止形無効電力補償装置におけるＴＳＣ（三相分）の動作を説明するシミュレーション波形図である。
【図１１】実施の形態２に従う静止形無効電力補償装置に適用されるサイリスタバルブの構成の第１の例を説明する概念図である。
【図１２】実施の形態２に従う静止形無効電力補償装置に適用されるサイリスタバルブの構成の第２の例を説明する概念図である。
【発明を実施するための形態】
【００１１】
以下に、本発明の実施の形態について図面を参照して詳細に説明する。なお、以下では、図中の同一または相当部分には同一符号を付して、その説明は原則的に繰返さないものとする。
【００１２】
［比較例の説明］
図１は、比較例として示される静止形無効電力補償装置１００♯の回路構成図である。
【００１３】
静止形無効電力補償装置１００♯は、デルタ接続された三相のＴＳＣ１０ａ，１０ｂ，１０ｃを含む。ａ相のＴＳＣ１０ａは、三相交流母線５ａおよび５ｂの間に直列に接続された、リアクトル２０ａ、コンデンサ３０ａおよびサイリスタスイッチ４０ａを有する。同様に、ｂ相のＴＳＣ１０ｂは、三相交流母線５ｂおよび５ｃの間に直列に接続された、リアクトル２０ｂ、コンデンサ３０ｂおよびサイリスタスイッチ４０ｂを有する。ｃ相のＴＳＣ１０ｃは、三相交流母線５ｃおよび５ａの間に直列に接続された、リアクトル２０ｃ、コンデンサ３０ｃおよびサイリスタスイッチ４０ｃを有する。
【００１４】
サイリスタスイッチ４０ａ，４０ｂ，４０ｃの各々は、逆並列に接続された２個のサイリスタ素子によって構成される。各サイリスタスイッチ４０ａ，４０ｂ，４０ｃは、図示しない制御装置からのゲートパルス信号に応答してオンする。そして、オンされた各サイリスタスイッチ４０ａ，４０ｂ，４０ｃは、ゲートパルス信号がオフされた状態において電流が０になるのに応じてオフする。
【００１５】
比較例の静止形無効電力補償装置１００♯では、三相のＴＳＣ１０ａ，１０ｂ，１０ｃにおいて、デルタ接続に沿った一巡経路における、リアクトル、サイリスタスイッチおよびコンデンサの電気的な接続順序は、各相で同じである。したがって、当該一巡経路に沿ったサイリスタスイッチおよびコンデンサの電気的な接続順序についても、各相で共通である。
【００１６】
図２は、各相のＴＳＣの動作を説明するための回路図である。ＴＳＣの回路構成および動作は、各相に共通であるので、図２では、一相分のＴＳＣ１０が示される。以下では、図１に示された三相のＴＳＣ１０ａ，１０ｂ，１０ｃを包括的に表記する場合には、単に「ＴＳＣ１０」とも称する。同様に、三相交流母線５ａ，５ｂ，５ｃを包括的に表記する場合には、単に「三相交流母線５」とも称する。
【００１７】
また、リアクトル２０ａ，２０ｂ，２０ｃを包括的に表記する場合には、単に「リアクトル２０」とも称し、コンデンサ３０ａ，３０ｂ，３０ｃを包括的に表記する場合には、単に「コンデンサ３０」とも称し、サイリスタスイッチ４０ａ，４０ｂ，４０ｃを包括的に表記する場合には、単に「サイリスタスイッチ４０」とも称する。
【００１８】
図２を参照して、ＴＳＣ１０に対しては、三相交流母線５から、三相交流の線間電圧ＶＳが印加される。ＴＳＣ１０は、直列接続された、リアクトル２０、サイリスタスイッチ４０およびコンデンサ３０を有する。サイリスタスイッチ４０に対しては、オンオフを制御するためのゲートパルス信号Ｐｇ１，Ｐｇ２が、制御装置５０から出力される。
【００１９】
図３は、図２に示された一相分のＴＳＣの動作を説明するシミュレーション波形図である。
【００２０】
図３を参照して、線間電圧ＶＳは、振幅Ｖｐを有する所定周波数の交流電圧である。
時刻ｔ１までは、サイリスタスイッチ４０はオフされており、ＴＳＣ１０もオフされている。したがって、サイリスタスイッチ４０の両端間の電圧Ｖｔｈｙは、線間電圧と同様となる。一方で、コンデンサ３０の電圧ＶＣ（以下、コンデンサ電圧ＶＣ）は、ＶＣ＝０となる。
【００２１】
時刻ｔ１において、ＴＳＣ１０がオンされて、コンデンサ３０は、三相交流母線５に対して電気的に接続される。ＴＳＣ１０をオンする場合には、制御装置５０は、サイリスタスイッチ４０の両端の電圧が０になった（Ｖｔｈｙ＝０）時点で、ゲートパルス信号Ｐｇ１，Ｐｇ２をオンする。
【００２２】
時刻ｔ１〜ｔ２の間、ＴＳＣ１０がオンされるので、電圧Ｖｔｈｙ＝０になるとともに、ＴＳＣをコンデンサ電流ＩＣが流れる。また、コンデンサ電圧ＶＣは、線間電圧ＶＳと同等になる。
【００２３】
時刻ｔ２において、ＩＳＣ１０がオフされる。制御装置５０がゲートパルス信号Ｐｇ１，Ｐｇ２をオフした後、サイリスタスイッチ４０を流れるコンデンサ電流ＩＣが０になった時点で、サイリスタスイッチ４０がオフされる。これにより、コンデンサ３０は、三相交流母線５から電気的に切り離される。
【００２４】
サイリスタスイッチ４０がオフされる時刻ｔ２の時点（ＩＣ＝０）では、コンデンサ３０は、線間電圧ＶＳのピーク値Ｖｐに充電されている。したがって、リアクトル２０によるコンデンサ電圧の持ち上げ分を無視すると、サイリスタスイッチ４０のターンオフ後に、サイリスタスイッチ４０の両端には、線間電圧ＶＳにコンデンサ充電電圧（Ｖｐ）が重畳された電圧が印加される。このため、サイリスタスイッチ４０の両端に印加される電圧差（絶対値）は、最大で、線間電圧のピーク値の２倍の電圧（２・Ｖｐ）となる。
【００２５】
図４は、比較例の静止形無効電力補償装置１００♯におけるＴＳＣ（三相分）の動作波形図である。
【００２６】
図４を参照して、三相交流母線５ａ，５ｂ，５ｃによって送電される三相交流の各相電圧は、１２０度ずつの位相差を有する。このため、コンデンサ３０ａ，３０ｂ，３０ｃのコンデンサ電流ＩＣａ，ＩＣｂ，ＩＣｃの間には、１２０度ずつの位相差が生じる。同様に、コンデンサ３０ａ，３０ｂ，３０ｃに印加されるコンデンサ電圧ＶＣａ，ＶＣｂ，ＶＣｃの間にも、１２０度ずつの位相差が生じる。
【００２７】
ＴＳＣ１０ａ，１０ｂ，１０ｃのオフが指示されると、制御装置５０（図２）によってゲートパルスがオフされる。そして、コンデンサ電流ＩＣａ，ＩＣｂ，ＩＣｃがそれぞれ０になるタイミングで、サイリスタスイッチ４０ａ，４０ｂ，４０ｃはオフされる。
【００２８】
図３で説明したように、ＴＳＣオフ時にサイリスタスイッチ４０ａ，４０ｂ，４０ｃの両端に印加される電圧は、ＴＳＣオフ時点におけるコンデンサ電圧ＶＣａ，ＶＣｂ，ＶＣｃに影響される。上述した１２０度ずつの位相差のため、ＴＳＣオフ時には、コンデンサ３０ａ，３０ｂ，３０ｃのうち、二相のコンデンサは、同一極性の電圧で充電される一方で、残り一相のコンデンサは、逆極性の電圧で充電される。図４の例では、コンデンサ３０ａ，３０ｃが正極性の電圧（＋Ｖｐ）で充電される一方で、コンデンサ３０ｂは逆極性の電圧（−Ｖｐ）で充電される。
【００２９】
図５には、サイリスタスイッチ４０ａ，４０ｂ，４０ｃを構成するためのサイリスタバルブ２００♯の一般的な構成が示される。
【００３０】
図５を参照して、サイリスタバルブ２００♯は、三相分のサイリスタスイッチユニット７０ａ，７０ｂ，７０ｃと、相間絶縁支持碍子８１，８２と、対地間絶縁支持碍子９０と、バルブベース９５とを含む。
【００３１】
サイリスタスイッチユニット７０ａは、端子ｕおよび端子ｘの間に、サイリスタスイッチ４０ａを構成する逆並列接続された２個のサイリスタ素子を有する。同様に、サイリスタスイッチユニット７０ｂは、端子ｖおよび端子ｙの間に、サイリスタスイッチ４０ｂを構成する逆並列接続された２個のサイリスタ素子を有する。また、サイリスタスイッチユニット７０ｃは、端子ｗおよび端子ｚの間に、サイリスタスイッチ４０ｃを構成する逆並列接続された２個のサイリスタ素子を有する。
【００３２】
三相分のサイリスタスイッチユニット７０ａ，７０ｂ，７０ｃは、バルブベース９５上に鉛直方向に積層配置される。各相間の絶縁は、相間絶縁支持碍子８１，８２によって確保される。さらに、対地間絶縁は、対地間絶縁支持碍子９０によって確保される。
【００３３】
図５の例では、サイリスタスイッチユニット７０ａおよび７０ｂの間（端子ｘ−ｙ間および端子ｕ−ｖ間）は、相間絶縁支持碍子８１によって絶縁される。また、サイリスタスイッチユニット７０ｂおよび７０ｃの間（端子ｙ−ｚ間および端子ｖ−ｗ間）は、相間絶縁支持碍子８２によって絶縁される。さらに、サイリスタスイッチユニット７０ａおよび７０ｃの間（端子ｚ−ｘ間および端子ｗ−ｕ間）は、相間絶縁支持碍子８１および８２によって絶縁される。そして、サイリスタスイッチユニット７０ｃおよびバルブベース９５の間は、対地間絶縁支持碍子９０によって絶縁される。
【００３４】
図６には、図５に示されたサイリスタバルブを適用した、比較例の静止形無効電力補償装置１００♯の構成が示される。
【００３５】
図６を参照して、静止形無効電力補償装置１００♯は、図５に示されたサイリスタバルブ２００♯によって構成されるサイリスタスイッチ４０ａ，４０ｂ，４０ｃと、リアクトル２０ａ，２０ｂ，２０ｃと、コンデンサ３０ａ，３０ｂ，３０ｃとを含む。
【００３６】
同一側の端子ｕ（サイリスタスイッチユニット７０ａ）、端子ｖ（サイリスタスイッチユニット７０ｂ）および端子ｗ（サイリスタスイッチユニット７０ｃ）は、リアクトル２０ａ，２０ｂ，２０ｃを経由して、三相交流母線５ａ，５ｂ，５ｃと電気的に接続される。
【００３７】
同様に、端子ｘ（サイリスタスイッチユニット７０ａ）、端子ｙ（サイリスタスイッチユニット７０ｂ）および端子ｚ（サイリスタスイッチユニット７０ｃ）は、コンデンサ３０ａ，３０ｂ，３０ｃを経由して、三相交流母線５ａ，５ｂ，５ｃと電気的に接続される。
【００３８】
ａ相およびｂ相間において、端子ｘ−ｙ間の端子間電圧Ｖｘｙは、相間絶縁支持碍子８１の両端に印加される。端子ｕ−ｖ間にも同等の端子間電圧が印加される。以下では、端子ｘ−ｙ間および端子ｕ−ｖ間の距離を、包括的に相間距離Ｄａｂと表記する。
【００３９】
同様に、ｂ相およびｃ相間において、端子ｙ−ｚ間の端子間電圧Ｖｙｚは、相間絶縁支持碍子８２の両端に印加される。端子ｖ−ｗ間にも同等の端子間電圧が印加される。以下では、端子ｙ−ｚ間および端子ｖ−ｗ間の距離を、包括的に相間距離Ｄｂｃと表記する。
【００４０】
さらに、ｃ相およびａ相間において、端子ｚ−ｘ間の端子間電圧ｚｘは、相間絶縁支持碍子８１および８２の両端に印加される。端子ｗ−ｕ間にも同等の端子間電圧が印加される。以下では、端子ｚ−ｘ間および端子ｗ−ｕ間の距離を、包括的に相間距離Ｄｃａと表記する。
【００４１】
比較例の静止形無効電力補償装置１００♯において、サイリスタスイッチユニット７０ａ，７０ｂ，７０ｃの端子間電圧Ｖｘｙ，Ｖｙｚ，Ｖｚｘは、下記（１）〜（３）式によって示される。なお、ＶＳａｂは、三相交流母線５ａおよび５ｂ間の線間電圧であり、ＶＳｂｃは、三相交流母線５ｂおよび５ｃ間の線間電圧であり、ＶＳｃａは、三相交流母線５ｃおよび５ａ間の線間電圧である。
【００４２】
Ｖｘｙ＝ＶＳｂｃ+ＶＣａ−ＶＣｂ    …（１）
Ｖｙｚ＝ＶＳｃａ＋ＶＣｂ−ＶＣｃ    …（２）
Ｖｚｘ＝ＶＳａｂ＋ＶＣｃ−ＶＣａ    …（３）
図４で説明したように、ＴＳＣオフ時には、コンデンサ３０ａ〜３０ｃのうちの二相および残りの一相には、極性の異なる電圧がそれぞれ充電される。ここでは、図４の例のように、ａ相およびｃ相のコンデンサ３０ａ，３０ｃに正極性のピーク電圧（＋Ｖｐ）が充電され、ｂ相のコンデンサ３０ｂには負極性のピーク電圧（−Ｖｐ）が充電されるものとする。
【００４３】
このとき、ＴＳＣオフ時における、サイリスタバルブでの端子間電圧Ｖｘｙ，Ｖｙｚ，Ｖｚｘのピーク値は、下記（４）〜（６）式によって示される。
【００４４】
Ｖｘｙ（ｐ）＝３・Ｖｐ    …（４）
Ｖｙｚ（ｐ）＝３・Ｖｐ    …（５）
Ｖｚｘ（ｐ）＝Ｖｐ    …（６）
すなわち、端子ｘ−ｙ間および端子ｙ−ｚ間には、最大で電源電圧（線間電圧）のピーク値の３倍の電圧が印加される。
【００４５】
図７には、図５に示されたサイリスタバルブが適用された比較例の静止形無効電力補償装置１００♯の動作を説明するためのシミュレーション波形図が示される。図７には、各相のコンデンサ電流ＩＣａ，ＩＣｂ，ＩＣｃと、サイリスタバルブでの端子間電圧Ｖｘｙ，Ｖｙｚ，Ｖｚｘのシミュレーション波形が示される。
【００４６】
図７を参照して、ＴＳＣのオン状態から時刻ｔ１で各サイリスタスイッチのゲートパルス信号をオフすると、コンデンサ電流ＩＣａ，ＩＣｂ，ＩＣｃが０になった時点で、サイリスタスイッチ４０ａ，４０ｂ，４０ｃが順次オフされる。
【００４７】
ＴＳＣがオンしている時刻ｔ１までは、電圧Ｖｘｙ，Ｖｙｚ，Ｖｚｘの各々は、三相交流母線５ａ，５ｂ，５ｃ間の線間電圧ＶＳ相当である。これに対して、時刻ｔ１以降では、ＴＳＣオフ時のコンデンサ充電電圧に電源電圧（線間電圧ＶＳ）が重畳された電圧が、端子ｘ−ｙ間、端子ｙ−ｚ間および端子ｚ−ｘ間に印加される。
【００４８】
したがって、端子ｘ−ｙ間に生じる電圧差（絶対値）の最大値であるＶｘｙ（ｐ）は、線間電圧のピーク値の３倍（３・Ｖｐ）となる。端子ｙ−ｚ間についても、Ｖｙｚ（ｐ）＝３・Ｖｐとなる。残りの端子ｚ−ｘ間について、Ｖｚｘ（ｐ）＝Ｖｐである。
【００４９】
このように、端子ｘ−ｙ間、端子ｚ−ｘ間および端子ｚ−ｘ間のうちのいずれか２つにおいて、最大値３・Ｖｐの電圧差が生じる。いずれの端子間でこの電圧差が生じるかは、ＴＳＣがオフされる位相によって変化するため、ａ相およびｂ相の相間距離Ｄａｂ、ｂ相およびｃ相の相間距離Ｄｂｃ、ならびに、ｃ相およびａ相の相間距離Ｄｃａの各々について、３・Ｖｐの電圧差に対して絶縁が確保できるように、サイリスタバルブを設計する必要がある。
【００５０】
これにより、各相間の絶縁を確保するために、端子ｘ−ｙ間（端子ｕ−ｖ間）、端子ｚ−ｘ（端子ｖ−ｗ間）間および端子ｚ−ｘ間（端子ｗ−ｕ間）の各々の絶縁距離を大きくとる必要が生じる。この結果、碍子を含めたサイリスタバルブの寸法が大きくなり、配置スペースの確保および、高コスト化が問題となる虞がある。
【００５１】
したがって、本実施の形態では、サイリスタスイッチユニットの端子間電圧のピーク値を抑制して、サイリスタバルブを小型化するための静止形無効電力補償装置の構成を提供する。
【００５２】
［実施の形態１］
図８は、実施の形態１に従う静止形無効電力補償装置の回路構成図である。
【００５３】
図８を参照して、実施の形態１に従う静止形無効電力補償装置１００♯は、三相交流母線５ａ，５ｂ，５ｃに対してデルタ接続された三相のＴＳＣ１１ａ，１１ｂ，１１ｃを含む。
【００５４】
ＴＳＣ１１ａ，１１ｂ，１１ｃは、図１のＴＳＣ１０ａ，１０ｂ，１０ｃと同様に、２本の三相交流母線５間に直列接続された、リアクトル２０、コンデンサ３０およびサイリスタスイッチ４０を有する。
【００５５】
一方で、ＴＳＣ１１ａ，１１ｂ，１１ｃは、図１のＴＳＣ１０ａ，１０ｂ，１０ｃとは異なり、デルタ接続に沿った一巡経路における、リアクトル、サイリスタスイッチおよびコンデンサの電気的な接続順序が、いずれか一相において他の二相と反対である。このため、当該一巡経路に沿ったサイリスタスイッチおよびコンデンサの電気的な接続順序が、二相では共通する一方で、残りの一相では他の二相とは逆になる。
【００５６】
図８の例では、ａ相およびｃ相の間、すなわちＴＳＣ１１ａおよびＴＳＣ１１ｃの間では、デルタ接続に沿った一巡経路における、リアクトル２０ａ，２０ｃ、サイリスタスイッチ４０ａ，４０ｃおよびコンデンサ３０ａ，３０ｃの電気的な接続順序が共通する。これに対して、ｂ相のＴＳＣ１１ｂでは、リアクトル２０ｂおよびコンデンサ３０ｂの電気的な接続順序が、ａ相およびｃ相と入れ替わっている。
【００５７】
この結果、上記一巡経路に沿った、サイリスタスイッチ４０およびコンデンサ３０の電気的な接続順序は、ａ相（ＴＳＣ１１ａ）およびｃ相（ＴＳＣ１１ｂ）の間でのみ共通である。ａ相（ＴＳＣ１１ａ）およびｂ相（ＴＳＣ１１ｂ）の間、ならびに、ａ相（ＴＳＣ１１ａ）およびｃ相（ＴＳＣ１１ｂ）の間では、サイリスタスイッチ４０およびコンデンサ３０の電気的な接続順序は互いに逆である。
【００５８】
図９は、実施の形態１に従う静止形無効電力補償装置に適用されるサイリスタバルブ２００の構造を説明する概念図である。
【００５９】
図９を図６と比較すると、実施の形態１に従う静止形無効電力補償装置１００は、ＴＳＣ１１ｂ（ｂ相）のリアクトル２０ｂおよびコンデンサ３０ｂの接続位置が、図６のＴＳＣ１０ｂと入れ替わっている点で、図６に示した比較例の静止形無効電力補償装置１００♯と異なる。実施の形態１に従う静止形無効電力補償装置１００のその他の部分の構成は、比較例の静止形無効電力補償装置１００♯と同様であるので、詳細な説明は繰り返さない。
【００６０】
したがって、同一側の端子ｕ、端子ｖおよび端子ｗについて、ａ相およびｃ相の端子ｕおよび端子ｗがリアクトル２０ａ，２０ｃを経由して三相交流母線５ａ，５ｃと電気的に接続される一方で、ｂ相の端子ｖは、コンデンサ３０ｂを経由して三相交流母線５ｂと電気的に接続される。
【００６１】
同様に、端子ｘ、端子ｙおよび端子ｚについて、ａ相およびｃ相の端子ｘおよび端子ｚがコンデンサ３０ａ，３０ｃを経由して三相交流母線５ａ，５ｃと電気的に接続される一方で、ｂ相の端子ｙは、リアクトル２０ｂを経由して三相交流母線５ｂと電気的に接続される。
【００６２】
このように、静止形無効電力補償装置１００は、物理的に隣接するように近接配置される、ａ相およびｂ相の間、ならびに、ｂ相およびｃ相の間では、サイリスタスイッチ４０およびコンデンサ３０の電気的な接続順序が逆になっている。一方、離れて配置されるａ相およびｃ相の間では、サイリスタスイッチ４０およびコンデンサ３０の電気的な接続順序が共通である。
【００６３】
図１０には、実施の形態１に従う静止形無効電力補償装置におけるＴＳＣ（三相分）の動作を説明するシミュレーション波形図である。
【００６４】
図１０には、図７と同様に、時刻ｔ１までＴＳＣをオンするとともに、時刻ｔ１においてゲートパルス信号をオフした動作における、各相のコンデンサ電流ＩＣａ，ＩＣｂ，ＩＣｃおよびサイリスタバルブでの端子間電圧Ｖｘｙ，Ｖｙｚ，Ｖｚｘのシミュレーション波形が示される。
【００６５】
時刻ｔ１で各サイリスタスイッチのゲートパルス信号をオフすると、コンデンサ電流ＩＣａ，ＩＣｂ，ＩＣｃが０になった時点で、サイリスタスイッチ４０ａ，４０ｂ，４０ｃが順次オフされる。
【００６６】
この際における、サイリスタバルブでの端子間電圧Ｖｘｙ，Ｖｙｚ，Ｖｚｘは、上述した電気的な接続順序の入れ替えによって、上記（１）〜（３）式とは異なる下記（７）〜（９）式によって示される。
【００６７】
Ｖｘｙ＝ＶＳｂｃ＋ＶＣａ    …  （７）
Ｖｙｚ＝ＶＳｃａ＋ＶＣｃ    …  （８）
Ｖｚｘ＝ＶＳａｂ＋ＶＣｃ−ＶＣａ    …（９）
上述のように、サイリスタスイッチ４０のオフ時には、三相のうちのいずれか二相でのコンデンサ充電電圧が電源電圧（線間電圧）の正極性のピーク値（＋Ｖｐ）となる一方で、残りの一相では、コンデンサ充電電圧は、電源電圧（線間電圧）の負極性のピーク値（−Ｖｐ）となる。
【００６８】
ここで、式（７）〜（９）から理解されるように、端子間電圧Ｖｚｘ、Ｖｙｚのピーク値は、ＴＳＣオフ時におけるコンデンサ３０ａ，３０ｃの充電電圧の極性には左右されない。一方で、ａ相およびｃ相のコンデンサ３０ａ，３０ｃが逆の極性で充電される際に、端子間電圧Ｖｚｘのピーク値が最大となる。したがって、ａ相およびｂ相のコンデンサ３０ａ，３０ｂに正極性のピーク値（＋Ｖｐ）が充電され、ｃ相のコンデンサ３０ｃには負極性のピーク値（−Ｖｐ）が充電される例を考えることとする。
【００６９】
図１０には、この場合における、端子間電圧Ｖｘｙ，Ｖｙｚ，Ｖｚｘのシミュレーション波形が示される。時刻ｔ１以降では、ＴＳＣオフ時のコンデンサ充電電圧に電源電圧（線間電圧ＶＳ）が重畳された電圧が、端子ｘ−ｙ間、端子ｙ−ｚ間および端子ｚ−ｘ間に印加される。
【００７０】
この結果、ＴＳＣオフ時における、サイリスタバルブでの端子間電圧Ｖｘｙ，Ｖｙｚ，Ｖｚｘのピーク値（絶対値）は、下記（１０）〜（１２）式によって示される。
【００７１】
Ｖｘｙ（ｐ）＝２・Ｖｐ    …（１０）
Ｖｙｚ（ｐ）＝２・Ｖｐ    …（１１）
Ｖｚｘ（ｐ）＝３・Ｖｐ    …（１２）
図１０および式（１０）〜（１２）から理解されるように、実施の形態１に従う静止形無効電力補償装置１００において、隣接配置されるａ相およびｂ相の間の端子間電圧のピーク値Ｖｘｙ（ｐ）、ならびに、ｂ相およびｃ相の間の端子間電圧のピーク値Ｖｚｘ（ｐ）は、比較例の静止形無効電力補償装置１００♯におけるピーク値（３・Ｖｐ）と比較して、２／３に抑制されている。この結果、絶縁距離についても、２／３に短縮することができるので、静止形無効電力補償装置１００での相間距離ＤａｂおよびＤｂｃについても、静止形無効電力補償装置１００♯に対して、２／３に短縮できる。
【００７２】
なお、ａ相およびｃ相の間では、端子間電圧のピーク値Ｖｘｙ（ｐ）は、比較例と同等の３・Ｖｐであるが、ａ相およびｃ相の相間距離Ｄｃａは、相間距離ＤａｂおよびＤｃａの和となるので、図６の比較例における相間距離Ｄａｂ，Ｄｂｃの４／３倍確保できる。図６における相間距離Ｄａｂ，Ｄｂｃは３・Ｖｐの電圧差に対する絶縁を確保するように設計されるので、図９における相間距離Ｄｃａは、３・Ｖｐのピーク値が印加されても、ａ相およびｃ相の間の絶縁を確保できることが理解できる。
【００７３】
このように、実施の形態１に従う静止形無効電力補償装置１００においては、三相のＴＳＣを構成するサイリスタスイッチユニット７０，７０ｂ，７０ｃについて、相間での端子間距離Ｄａｂ，Ｄｂｃ，Ｄｃａが不均等となるように実装配置されている下で、いずれか一相において、デルタ接続に沿った一巡経路におけるサイリスタスイッチ４０およびコンデンサ３０の電気的な接続順序が他の二相と逆となるようにＴＳＣが構成される。
【００７４】
さらに、サイリスタバルブの構成において、サイリスタスイッチ４０およびコンデンサ３０の電気的な接続順序が逆になっている相のＴＳＣ同士が近接配置される一方で、当該電気的な接続順序が共通である相のＴＳＣ同士は、相対的に離れて配置されている。
【００７５】
この結果、サイリスタバルブ２００での実装時に相間距離が最も短くなる二相間でＴＳＣ１１でのサイリスタスイッチ４０およびコンデンサ３０の電気的な接続順序が逆になっている。たとえば、図９では、物理的に隣接して配置されるため相間距離が最小となる、ａ相およびｂ相の間、ならびに、ｂ相およびｃ相の間の各々において、ＴＳＣ１１でのサイリスタスイッチ４０およびコンデンサ３０の電気的な接続順序が逆になっている。
【００７６】
さらに、相間距離が最も長くなる二相間でＴＳＣ１１でのサイリスタスイッチ４０およびコンデンサ３０の電気的な接続順序が共通している。図９では、ａ相およびｃ相の間において、ＴＳＣ１１でのサイリスタスイッチ４０およびコンデンサ３０の電気的な接続順序は共通である。
【００７７】
このようなＴＳＣの構成および各相のサイリスタスイッチの位置関係によって、各相間の絶縁を確保するために必要な絶縁距離が縮小される。この結果、碍子を含めたサイリスタバルブの寸法が小さくできるので、静止形無効電力補償装置を小型化かつ低コスト化することが可能となる。
【００７８】
［実施の形態２］
実施の形態１では、サイリスタバルブの構成として、三相のサイリスタスイッチユニット７０ａ〜７０ｃを、鉛直方向に積層した例を説明した。実施の形態２では、サイリスタバルブの構成の変形例について説明する。
【００７９】
図１１は、実施の形態２に従う静止形無効電力補償装置に適用されるサイリスタバルブの構成の第１の例を説明する概念図である。
【００８０】
図１１を参照して、実施の形態２の第１の例に従うサイリスタバルブ２０１は、図９に示されたサイリスタバルブ２００と比較して、三相のサイリスタスイッチユニット７０ａ，７０ｂ，７０ｃのうちの二相分が積層配置される一方で、残り一相は別個に一段配置される。なお、図１１においても、ＴＳＣ１１ａ，１１ｂ，１１ｃと三相交流母線５ａ，５ｂ，５ｃとの間の電気的な接続関係については、図９と同様であるので、詳細な説明は繰り返さない。
【００８１】
図１１の例では、ＴＳＣ１１ｂおよび１１ｃを構成するサイリスタスイッチユニット７０ｂおよび７０ｃが、バルブベース９５の上に積層配置される一方で、ＴＳＣ１１ａを構成するサイリスタスイッチユニット７０ａは、バルブベース９５の上に、サイリスタスイッチユニット７０ｂおよび７０ｃとは別個に一段配置される。
【００８２】
サイリスタスイッチユニット７０ｂおよび７０ｃの間、すなわち、端子ｖ−ｗ間、ならびに、端子ｙ−ｚ間は、相間絶縁支持碍子８１によって絶縁される。また、サイリスタスイッチユニット７０ｃ（端子ｗおよび端子ｚ）と、バルブベース９５との間は、対地間絶縁支持碍子９０によって絶縁される。同様に、サイリスタスイッチユニット７０ａ（端子ｘおよび端子ｕ）と、バルブベース９５との間は、対地間絶縁支持碍子９０によって絶縁される。
【００８３】
なお、図１１では、三相交流母線５ａ，５ｂ，５ｃとＴＳＣ１１ａ，１１ｂ，１１ｃとの接続関係を明記するために、表記の都合上、サイリスタスイッチユニット７０ａの端子ｕの位置が、端子ｖおよび端子ｗよりも、端子ｙおよび端子ｚに近くなるように記載されている。
【００８４】
しかしながら、実際には、端子ｕ，ｖ，ｗおよび端子ｘ，ｙ，ｚのそれぞれが同一側に位置するように、サイリスタスイッチユニット７０ａ，７０ｂ，７０ｃは配置されている。たとえば、サイリスタスイッチユニット７０ａは、積層配置されたサイリスタスイッチユニット７０ｂ，７０ｃに対して、図１１の紙面に対して垂直な方向に沿って、手前側ないし奥側に配置されている。すなわち、各相のＴＳＣ間の絶縁については、実施の形態１と同様に、端子ｘ、ｙおよびｚ間の絶縁、ならびに、端子ｕ、ｖおよびｗ間の絶縁を確保する必要がある。
【００８５】
実施の形態２の第１の例に従うサイリスタバルブ２０１は、図９のサイリスタバルブ２００と比較して、鉛直方向のスペース確保が困難である一方で、水平方向のスペース確保が容易なケースへの適用が好ましい。
【００８６】
サイリスタバルブ２０１についても、サイリスタスイッチ４０およびコンデンサ３０の電気的な接続順序が逆になっている相のＴＳＣ同士を近接配置するように構成される。ｂ相のＴＳＣ１１ｂにおいて電気的な接続順序が他の二相と逆である場合には、実施の形態１と同様に、相間距離Ｄａｂ，Ｄｂｃ，Ｄｃａのうち、ＤａｂまたはＤｂｃを最小とするようにサイリスタバルブ２０１を構成することにより、効率的に相間の絶縁距離を確保することができる。
【００８７】
このように、サイリスタバルブ２０１においても、相間距離が最も短くなる二相間でＴＳＣ１１でのサイリスタスイッチ４０およびコンデンサ３０の電気的な接続順序が逆となるように、サイリスタスイッチユニット７０ａ，７０ｂ，７０ｃが実装配置される。
【００８８】
図１１の例では、ｂ相のサイリスタスイッチユニット７０ｂは、積層配置の対象とすることによって、鉛直方向のスペース確保が困難であっても、他相との絶縁距離を確保することが可能となる。一方で、サイリスタスイッチ４０およびコンデンサ３０の電気的な接続順序が共通するａ相およびｃ相のサイリスタスイッチユニット７０ａ，７０ｃについては、一方を積層配置の対象とし、他方を一段配置の対象とすることにより、水平方向のスペースを確保して十分に絶縁距離を確保できる。
【００８９】
このように、実施の形態２の第１の例に従うサイリスタバルブ２０１の構成によっても、実施の形態１と同様に、碍子を含めたサイリスタバルブの寸法が小さくできるので、静止形無効電力補償装置を小型化かつ低コスト化することが可能となる。
【００９０】
また、図１１の構成例では、サイリスタスイッチ４０およびコンデンサ３０の電気的な接続順序が他の二相と異なるｂ相のサイリスタスイッチユニット７０ｂを積層配置の上段側に配置したが、下段側に配置することも可能である。このようにすると、ＴＳＣ１１でのサイリスタスイッチ４０およびコンデンサ３０の電気的な接続順序が共通する二相間での相間距離が、さらに確保し易くなる。
【００９１】
なお、図１１の構成例において、積層配置されたサイリスタスイッチユニット７０ｂ，７０ｃの端子と、一段配置されたサイリスタスイッチユニット７０ａの端子との間に、必要に応じて、相間絶縁支持碍子をさらに配置してもよい。
【００９２】
図１２は、実施の形態２に従う静止形無効電力補償装置に適用されるサイリスタバルブの構成の第２の例を説明する概念図である。
【００９３】
図１２を参照して、実施の形態２の第２の例に従うサイリスタバルブ２０２は、図９に示されたサイリスタバルブ２００と比較して、三相のサイリスタスイッチユニット７０ａ，７０ｂ，７０ｃの各々が水平方向に連続配置される点で異なる。図１２においても、各ＴＳＣ１１ａ，１１ｂ，１１ｃと三相交流母線５ａ，５ｂ，５ｃとの間の電気的な接続関係については、図９と同様であるので、詳細な説明は繰り返さない。
【００９４】
実施の形態２の第２の例に従うサイリスタバルブ２０２は、第１の例に従うサイリスタバルブ２０１と比較して、鉛直方向のスペース確保がさらに困難である一方で、水平方向のスペース確保が容易なケースへの適用が好ましい。
【００９５】
サイリスタスイッチユニット７０ａ（端子ｘおよび端子ｕ）、サイリスタスイッチユニット７０ｂ（端子ｙおよび端子ｖ）ならびに、サイリスタスイッチユニット７０ｃ（端子ｚおよび端子ｗ）の各々と、バルブベース９５との間は、対地間絶縁支持碍子９０によって絶縁される。
【００９６】
なお、図１２についても、三相交流母線５ａ，５ｂ，５ｃとＴＳＣ１１ａ，１１ｂ，１１ｃとの接続関係を明記するために、表記の都合上、サイリスタスイッチユニット７０ａ，７０ｂ、７０ｃを紙面左右方向に並べて記載しているが、実際には、サイリスタスイッチユニット７０ａ，７０ｂ，７０ｃは、端子ｕ，ｖ，ｗおよび端子ｘ，ｙ，ｚのそれぞれが同一側に位置するように、たとえば、図１２の紙面に垂直な方向に沿って並んで配置されている。すなわち、各相間の絶縁については、端子ｘ、ｙおよびｚ間の絶縁、ならびに、端子ｕ、ｖおよびｗ間の絶縁を確保する必要がある。
【００９７】
サイリスタバルブ２０２においても、実施の形態１と同様に、サイリスタスイッチの相間距離が最も短くなる二相間でＴＳＣ１１でのサイリスタスイッチ４０およびコンデンサ３０の電気的な接続順序が逆となるように、サイリスタスイッチユニット７０ａ，７０ｂ，７０ｃが実装配置される。ｂ相のＴＳＣ１１ｂにおけるサイリスタスイッチ４０およびコンデンサ３０の電気的な接続順序が他の二相と異なる場合には、相間距離Ｄａｂ，Ｄｂｃ，Ｄｃａのうち、ＤａｂまたはＤｂｃを最小とするようにサイリスタバルブ２０２を構成することにより、効率的に相間の絶縁距離を確保することができる。
【００９８】
たとえば、ｂ相のサイリスタスイッチユニット７０ｂは、サイリスタスイッチ４０およびコンデンサ３０の電気的な接続順序が共通するａ相およびｃ相のサイリスタスイッチユニット７０ａ，７０ｃの間に配置される。これにより、物理的に隣接して配置される、ａ相およびｂ相の間、ならびに、ｂ相およびｃ相の間の各々において、ＴＳＣ１１でのサイリスタスイッチ４０およびコンデンサ３０の電気的な接続順序が逆にすることができるので、実施の形態１のサイリスタバルブ２００と同様に、絶縁距離の確保のために水平方向に必要なスペースを縮小できる。
【００９９】
このように、実施の形態２の第２の例に従うサイリスタバルブ２０２の構成によっても、実施の形態１と同様に、碍子を含めたサイリスタバルブの寸法が小さくできるので、静止形無効電力補償装置を小型化かつ低コスト化することが可能となる。
【０１００】
なお、図１２の構成例において、サイリスタスイッチユニット７０ｂの端子と、サイリスタスイッチユニット７０ａ，７０ｃの端子との間に、必要に応じて、相間絶縁支持碍子をさらに配置してもよい。
【０１０１】
図１１および図１２に示した第１および第２の例を始めとして、サイリスタスイッチの相間距離が最も短くなる二相間でＴＳＣ中のサイリスタスイッチ４０およびコンデンサ３０の電気的な接続順序が逆となるように、サイリスタスイッチユニット７０ａ，７０ｂ，７０ｃが実装配置される限り、サイリスタバルブの構成は適宜変更することが可能である。とすることができる。このように、サイリスタスイッチユニット７０ａ，７０ｂ，７０ｃを配置することにより、サイリスタバルブの寸法を小さくすることによって、静止形無効電力補償装置を小型化かつ低コスト化することが可能となる。
【０１０２】
なお、本実施の形態では、各相のＴＳＣ１１において、サイリスタスイッチ４０がリアクトル２０およびコンデンサ３０の間に接続される構成を例示したが、サイリスタスイッチ４０をリアクトル２０またはコンデンサ３０を経由することなく三相交流母線５と接続するように、少なくとも一相のＴＳＣ１１を構成することも可能である。この場合にも、デルタ接続された三相のＴＳＣにおいて、いずれか一相において、デルタ接続に沿った一巡経路におけるサイリスタスイッチ４０およびコンデンサ３０の電気的な接続順序が他の二相と逆となるように各相のＴＳＣを構成すれば、上述した各相のサイリスタスイッチ（ユニット）の実装配置との組み合わせによって、本実施の形態と同様の効果を有する静止形無効電力補償装置を構成することができる。
【０１０３】
また、各相のＴＳＣについて、本実施の形態で例示した、サイリスタスイッチ、リアクトルおよびコンデンサの直列回路に限定されることなく、サイリスタスイッチおよびコンデンサの直列回路によって構成することも可能である。この場合においても、デルタ接続された三相のＴＳＣにおいて、いずれか一相において、デルタ接続に沿った一巡経路におけるサイリスタスイッチ４０およびコンデンサ３０の電気的な接続順序が他の二相と逆となるように各相のＴＳＣを構成すれば、上述した各相のサイリスタスイッチ（ユニット）の実装配置との組み合わせによって、本実施の形態と同様の効果を有する静止形無効電力補償装置を構成することができる。
【０１０４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０５】
５，５ａ，５ｂ，５ｃ  三相交流母線、１０，１０ａ，１０ｂ，１０ｃ，１１ａ，１１ｂ，１１ｃ  ＴＳＣ（直列回路）、２０，２０ａ，２０ｂ，２０ｃ  リアクトル、３０，３０ａ，３０ｂ，３０ｃ  コンデンサ、４０，４０ａ，４０ｂ，４０ｃ  サイリスタスイッチ、５０  制御装置、７０，７０ａ，７０ｂ，７０ｃ  サイリスタスイッチユニット、２００，２０１，２０２  サイリスタバルブ、８１，８２  相間絶縁支持碍子、９０  対地間絶縁支持碍子、９５  バルブベース、１００  静止形無効電力補償装置、Ｄａｂ，Ｄｂｃ，Ｄｃａ  相間距離、ＩＣ，ＩＣａ，ＩＣｂ，ＩＣｃ  コンデンサ電流、Ｐｇ１，Ｐｇ２  ゲートパルス信号、ＶＣ  コンデンサ電圧、ＶＳ  線間電圧、Ｖｐ  ピーク値（線間電圧）、Ｖｔｈｙ  サイリスタ電圧、Ｖｘｙ，Ｖｙｚ，Ｖｚｘ  端子間電圧、ｕ，ｖ，ｗ，ｘ，ｙ，ｚ  端子（サイリスタスイッチユニット）。
【図１】
2014017963.tif 000003
【図２】
2014017963.tif 000004
【図３】
2014017963.tif 000005
【図４】
2014017963.tif 000006
【図５】
2014017963.tif 000007
【図６】
2014017963.tif 000008
【図７】
2014017963.tif 000009
【図８】
2014017963.tif 000010
【図９】
2014017963.tif 000011
【図１０】
2014017963.tif 000012
【図１１】
2014017963.tif 000013
【図１２】
2014017963.tif 000014